(57)【特許請求の範囲】
【請求項１】
空調機器を含む設備機器の制御・監視を行う制御コントローラを備えたビル管理システムにおける空調制御支援装置において、
ビル入館者の体温測定部と、
前記測定された入館者の体温が、所定の温度を超えているとき、前記制御コントローラによる空調制御を変化させる空調制御変更手段を備え、
前記空調制御変更手段は、インフルエンザウイルスが非活性化する相対温度と相対湿度の前後に空調制御の目標値を変更する
ことを特徴とするビル管理システムにおける空調制御支援装置。
【請求項２】
施設管理サーバ及び入退室管理サーバを中心とした中央監視装置、
空調機器を含む設備機器の制御・監視を行う制御コントローラ、
ビル内の複数のエリア毎に、入室者の個人認証を実行する入室制御手段と、
前記制御コントローラを接続したネットワークとを備え、ビル内の設備機器を管理するビル管理システムにおける空調制御支援装置において、
ビル入館者が、ビル内の特定のエリアへ入室するとき、当該入室者の体温を測定する体温測定部と、
前記測定された入室者の体温が所定の温度を超えているとき、前記制御コントローラによる空調制御を変化させる空調制御変更手段を備え、
前記空調制御変更手段は、インフルエンザウイルスが非活性化する相対温度と相対湿度の前後に空調制御の目標値を変更する
ことを特徴とするビル管理システムにおける空調制御支援装置。
【請求項３】
施設管理サーバ及び入退室管理サーバを中心とした中央監視装置、
空調機器を含む設備機器の制御・監視を行う制御コントローラ、
ビル内の複数のエリア毎に、入室者の個人認証を実行する入室制御手段と、
前記制御コントローラを接続したネットワークを備え、ビル内の設備機器を管理するビル管理システムにおける空調制御支援装置において、
ビル入館者の体温を含む個人情報を登録する個人情報登録部と、
ビル入館者が、ビル内の特定のエリアへ入室するとき、当該入室者の体温を測定する体温測定部と、
前記測定された入室者の体温を、前記個人情報登録部に登録された体温と比較する体温比較部と、
前記比較の結果、その差が所定の範囲を超えているとき、前記制御コントローラによる空調制御を変化させる空調制御変更手段を備え、
前記空調制御変更手段は、インフルエンザウイルスが非活性化する相対温度と相対湿度の前後に空調制御の目標値を変更する
ことを特徴とするビル管理システムにおける空調制御支援装置。
【請求項４】
請求項１〜３のいずれかにおいて、相対温度２０℃、相対湿度５０％前後に空調制御の目標値を設定する、あるいは加湿剤に弱性塩素系殺菌剤を加える、もしくは換気回数を上げることを特徴とするビル管理システムにおける空調制御支援装置。
【請求項５】
請求項１〜４のいずれかにおいて、前記体温測定部は、個人認証時に、認証部位に配置した温度センサによって体温を測定することを特徴とするビル管理システムにおける空調制御支援装置。
【請求項６】
請求項３において、前記個人情報登録部は、本人照合に必要となる個人情報の事前登録と同時に、登録者の体温データをデータベースへ自動登録する手段を備えたことを特徴とするビル管理システムにおける空調制御支援装置。
【請求項７】
請求項２〜６のいずれかにおいて、
ビル内の前記特定のエリアへの入室認証時に、当該特定のエリアへの入室者数を計数する手段と、
前記計数した当該特定のエリアへの入室者数が所定人数を越えたとき、前記制御コントローラによる空調制御を変化させる空調制御変更手段を備えたことを特徴とするビル管理システムにおける空調制御支援装置。
【請求項８】
請求項７において、前記空調制御変更手段は、当該特定エリアへの入室者数が所定人数を越えたとき、当該特定エリアの目標温度を低下させる手段を備えたことを特徴とするビル管理システムにおける空調制御支援装置。
【発明の詳細な説明】
【技術分野】
【０００１】
本発明は、ビル内在室者の状況に応じて空調制御を支援するビル管理システムにおける空調制御支援装置に関するものである。
【背景技術】
【０００２】
ビル管理システムは、施設管理サーバ及び入退室管理サーバを中心とした中央監視装置、設備機器の制御・監視を行う制御コントローラ、生体認証やＩＤカードによる入退室制御を行う制御コントローラ等から構成される。このようなビル管理システムは、ビル内設備機器の監視・制御、ビル使用者の入退室制御を行い、快適で安全な施設機能の維持管理を図っている。
【０００３】
ここで、生体認証とは、各個人に固有とみられる身体的特徴等を用いて自動的に個人を認証する技術であり、セキュリティ性の向上が求められている近年、様々なところで利用されている。また、新型インフルエンザが世界で猛威を振るい、オフィスビル等の人が集合する場所でのインフルエンザ感染防止対策が注目されている。これらのことからセキュリティ性向上及び健康増進性向上の両立がますます重要になってきている。
【０００４】
特許文献１には、建屋内空調管理システムが開示されており、フロアごとに推定した空調対象者数に基づいた空調制御手段について言及している。
【先行技術文献】
【特許文献】
【０００５】
【特許文献１】特開２００８−２９８３５３号公報
【発明の概要】
【発明が解決しようとする課題】
【０００６】
ところで、従来のビル管理システムでは、空調制御はセンサやスケジュールによって温湿度制御を行っているが、必ずしも在室者の実態に即した制御となっていないことが課題である。
【０００７】
また、個人認証システムによって、多くの入館者情報を入手できるにも拘らず、その入館者情報を十分に生かしきっておらず、例えばインフルエンザ感染が疑われる３８℃以上の高熱者が入室した場合においても検知されず、必ずしも在室者の実態に即したサービス性に富む空調制御となっていなかった。
【課題を解決するための手段】
【０００８】
本発明の望ましい実施態様においては、空調機器を含む設備機器の制御・監視を行う制御コントローラを備えたビル管理システムにおける空調制御支援装置において、ビル入館者の体温測定部と、前記測定された入館者の体温が、所定の温度を超えているとき、前記制御コントローラによる空調制御を変化させる空調制御変更手段を備えたことを特徴とする。
【０００９】
本発明の具体的な空調制御支援装置の実施形態においては、指静脈や指紋、耳形等の生体認証時に登録者の体温を測定し、事前に登録した認証者の体温と比較して高熱者であると判断したことにより、感染対策の空調制御を行う。具体的には、インフルエンザウイルスが非活性化すると言われる温湿度（例：相対温度２０℃、相対湿度５０％）前後に設定値を変更する。あるいは加湿剤に弱性塩素系殺菌剤を加える、もしくは同殺菌剤の量を調整する、換気回数を上げるといった空調制御を実行する。また、居室ごとの在室者数を空調制御のパラメータに加え、在室者数が所定値を超えたときに、空調制御の設定温度を低下させることで、在室者の実態に即した制御とする。
【発明の効果】
【００１０】
本発明の望ましい実施態様によれば、インフルエンザに感染の疑いがある入室者を検知し、空調制御を変更することにより、インフルエンザ感染対策を行うことができる。
【図面の簡単な説明】
【００１１】
【図１】本発明の一実施の形態によるビル管理システムにおける空調制御支援装置のシステム概略図である。
【図２】具体的な空調制御支援装置における制御システム構成図を示している。
【図３】空調制御支援装置における処理フローを示している。
【図４Ａ】空調制御支援装置における生体認証履歴データの一例を示す。
【図４Ｂ】上記生体認証履歴データに基づいて制御されるエリアの平面図である。
【発明を実施するための形態】
【００１２】
以下、本発明を実施するための形態を図面に基づいて詳細に説明する。
【００１３】
図１は、本発明の実施の形態に係るビル管理システムの一例を示すシステム概略図である。ビル管理システム１は、中央監視装置１１と、複数の制御コントローラ１２及び１３とにより構成される。また、中央監視装置１１は、施設管理装置（以下、施設管理サーバという）１１１と、入退室管理装置（以下、入退室管理サーバという）１１２などからなる。この施設管理サーバ１１１及び入退室管理サーバ１１２は、制御コントローラ１２及び１３とともに、ＬＡＮ（Local Area Network）１４等のネットワークで接続される。これらの複数の制御コントローラ１２及び１３は、ここでは、電気機器１２１、給排水機器１２２、あるいは空調機器１２３を管理する制御コントローラ１２と、生体認証端末２１Ａ、カードリーダ２１Ｂ並びに電気錠２２Ａ、自動ドア２２Ｂを管理する制御コントローラ１３のみを例示している。
【００１４】
図２は、本発明の一実施例による空調制御支援装置における制御システム構成図を示している。図２に示すように、本システムは、事前登録部１１２１、認証部１３１、電気錠・ドア制御部１３２、記憶部１１０、空調制御部１２０１の処理ブロックにより機能的に区分され、構成される。
【００１５】
事前登録部１１２１は、カード情報、指静脈情報、指紋情報、耳形情報、体温情報等の入退室認証時の本人照合に必要となる情報をクライアントマシンから記憶部１１０に登録する機能を有する。認証者の生体認証情報の登録と同時に体温を測定し、記憶部１１０に格納する。事前登録時の体温測定は、指静脈認証や指紋認証では、登録用指静脈装置及び登録用指紋装置の認証部位に配置した温度センサ（サーミスタ）によって電圧を測定し、測定された電圧から体温を換算計測する。耳形認証では、認証装置の認証部位に配置した温度センサ（サーミスタ）によって輝度（赤外熱放射強度）を測定し、測定された輝度から体温を換算計測する。また、体温はクライアントマシンからの手入力によって記憶部１１０に登録してもよい。
【００１６】
認証部１３１は、入退室認証時に認証者のカード情報、指静脈情報、指紋情報、耳形情報等を読み取り、事前登録部１１２１にて記憶部１１０に事前登録済みの情報との照合を行う機能を有する。認証者の照合と同時に体温を測定し、記憶部１１０に格納する。認証時の体温測定は、指静脈認証や指紋認証では、指静脈認証装置及び指紋認証装置の認証部位に配置した温度センサ（サーミスタ）によって電圧を測定し、測定された電圧から体温を換算計測する。耳形認証では、認証装置の認証部位に配置した温度センサ（サーミスタ）によって輝度（赤外熱放射強度）を測定し、測定された輝度から体温を換算計測する。また、認証時の体温測定についてはその日の初回入室認証時に限定してもよい。
【００１７】
電気錠・ドア制御部１３２は、認証部１３１の照合結果に応じて電気錠解施錠・ドア開閉を行う機能を有する。照合結果、電気錠解施錠・ドア開閉動作結果等の入退室履歴データは記憶部１１０に格納される。
【００１８】
記憶部１１０は、事前登録部１１２１にて入力された事前登録情報、認証部１３１にて測定された体温、電気錠・ドア制御部１３２にて記憶された入退室履歴データを格納する機能を有する。
【００１９】
空調制御部１２０１は、記憶部１１０に格納された上記情報をパラメータとして空調制御を行う機能を有する。
【００２０】
図３は、本発明の一実施例による空調制御支援装置の処理フローチャートである。
【００２１】
認証者が入退室時に生体認証照合を行うと（Ｓ５０１）、当該認証者の通行権限の有効期限が有効か確認する（Ｓ５０２）。通行権限が有効であれば（Ｓ５０２“Ｙｅｓ”）、通行エリアが許可エリアか確認する（Ｓ５０３）。通行エリアが許可エリアであれば（Ｓ５０３“Ｙｅｓ”）、ドア解錠制御処理を行う（Ｓ５０４、Ｓ５０５）。本照合動作に伴う履歴データ（図２の１３３）は、入退室履歴データとして入退室管理サーバ１１２に格納される。施設管理サーバ１１１は、前記履歴データ１３３を参照し、累積在室人数が一定人数を超過したか、高熱者がいるか確認する（Ｓ５０６、Ｓ５０７）。累積在室人数が一定人数を超過した場合（Ｓ５０６“Ｙｅｓ”）、個別パラメータ制御を行う（Ｓ５０８）。累積在室人数が一定人数を超過した場合の個別パラメータ制御とは、一例として、該当空調エリアにおける空調の目標温度を、普段よりも低下させることである。また、その他の喚起効果を高めるような制御を取り入れることも考えられる。
【００２２】
一方、高熱者がいた場合（Ｓ５０７“Ｙｅｓ”）、個別パラメータ制御を行う（Ｓ５０８）。この場合の個別パラメータ制御については、図４Ａ，図４Ｂを参照して次に述べる。
【００２３】
累積在室人数が一定人数を超過していない場合（Ｓ５０６“Ｎｏ”）や、高熱者がいない場合（Ｓ５０７“Ｎｏ”）には、通常のスケジュールによる空調制御を行う（Ｓ５０９）。
【００２４】
図４Ａおよび図４Ｂは、生体認証履歴データと空調制御の実施例を示している。ビル使用者が居室入室の際、指静脈や指紋、耳形等の生体認証照合を行うと、図４Ａに示すように、個人ＩＤ、居室エリア、空調エリア、平常時体温等の個人情報が呼び出され、入室時刻、認証時体温が新たに書き込まれる。本履歴データから、累積在室者数及び高熱者の有無を割り出す。高熱者の有無については、平常時体温と認証時体温の差分値が一定値以上プラスの認証者がいる場合に高熱者有りと判断する。
【００２５】
図４Ａのデータの場合、個人ＩＤが１９である入室者が、認証により３８度の高熱者と判断されている。したがって、図４Ｂに示す空調エリアＡ〜Ｈ全体に対して、当該空調設備のパラメータ制御を開始している。
【００２６】
ここでいうパラメータ制御とは、累積在室者数及び高熱者の有無をパラメータとした空調制御を示す。高熱者有りの場合は、インフルエンザ感染者の疑いがあると判断し、例えば、インフルエンザウイルスが非活性化されるといわれている温湿度（例：相対温度２０℃、相対湿度５０％）前後に設定値を変更する、あるいは加湿剤に弱性塩素系殺菌剤を加える、もしくは同殺菌剤の量を調整する、換気回数を上げるといった制御方法に設定変更する。
【００２７】
図４Ａ，４Ｂの例では、個人ＩＤが６４である入室者も、認証により３８度の高熱者と判断されている。したがって、図４Ｂに示す空調エリアＩ〜Ｊに対しても、当該空調設備のパラメータ制御を開始している。
【産業上の利用可能性】
【００２８】
インフルエンザをはじめとする感染症拡大に伴う経済損失は甚大であり、オフィスビルなどの人が集合する場所が感染拡大の一因となっている。ビル内在室者にとって、常に暴露されている空気環境は、健康増進性の向上にとって極めて重要である。本発明によれば、在室者の実態に即した空調制御が可能となり、インフルエンザ感染対策や空調制御精度の向上に役立つ。
【符号の説明】
【００２９】
１…ビル管理システム、１１…中央監視装置、１１１…施設管理サーバ、１１２…入退室管理サーバ、１１０記憶部、１１２１…事前登録部、１２，１３…制御コントローラ、１２０１…空調制御部、１２１…電気機器、１２２…給排水機器、１２３…空調機器、１４…ＬＡＮ、２１Ａ…生体認証端末、２１Ｂ…カードリーダ、２２Ａ…電気錠、２２Ｂ…自動ドア。
【図１】
0005416066.tif 000002
【図２】
0005416066.tif 000003
【図３】
0005416066.tif 000004
【図４Ａ】
0005416066.tif 000005
【図４Ｂ】
0005416066.tif 000006